(57)【要約】【課題】空気中の浮遊物質で特に人体に悪影響のあるアレルゲン、ウイルス、浮遊カビ、浮遊細菌などの室内空気中に浮遊する空気中の不純物の活動抑制、不活化することを可能とした空気調和機を提供することを目的とする。【解決手段】吹出し口６から吹出し方向１ｍの距離で１，０００，０００個／ｃｃ以上のマイナスイオンが検出されるマイナスイオン発生器を備えることにより酸素が負イオン化したスーパーオキシドアニオンが室内空気中に放出され、スーパーオキシドアニオンが生体細胞内においてさまざまな生理障害を引き起こし細胞を失活させることにより、アレルゲン、ウイルス、浮遊カビ、浮遊細菌などの室内空気中に浮遊する空気中の不純物の活動抑制、不活化することを可能とした空気調和機室内ユニット１を提供することができる。【選択図】図１
2007107809.tif 000002
【特許請求の範囲】
【請求項１】
室内空気を吸込み口から吸込み、その吸込み空気を熱交換器に通して吹出し口から室内に吹出す空気調和機において、吹出し口から吹出し方向１ｍの距離で１，０００，０００個／ｃｃ以上のマイナスイオンが検出されるマイナスイオン発生器を具備したことを特徴とする空気調和機。
【請求項２】
マイナスイオン発生器を吹出し口に具備したことを特徴とする請求項１に記載の空気調和機。
【発明の詳細な説明】
【技術分野】
【０００１】
本発明は、室内空気の浄化に用いられる空気調和機に関するものである。
【背景技術】
【０００２】
従来の空気調和機の室内ユニットは、ユニット本体内に熱交換器と送風機を収容し、送風機の作動によりユニット本体内に室内空気を吸込んで上記熱交換器を通過させて熱交換し、さらに送風機を介して吹出し口より室内へ吹出す。
【０００３】
近年このような室内空気に対する熱交換作用だけでなく、付加機能として、室内空気に含まれる塵埃などの不純物を除去して清浄化する機能を搭載した室内ユニットが提供されている。
【０００４】
前記付加機能は、室内空気中にはごく微細な塵埃がふくまれていて、これらを原因として花粉症やアレルギーなどが引き起こされる可能性が指摘され、またホコリ堆積により室内のダニなどの発生原因となっていることに対し、空気中の塵埃の除去等を通じ、清浄な空気を供給することを目的としている。
【０００５】
特許文献１などに記載されている従来の電気集塵ユニットを搭載した空気調和機を図５に示す。図５において、電気集塵ユニット１６は、室内熱交換器の空気吸込み側に設けられたプレフィルターと呼ばれる綿埃などの比較的粗い塵埃を除去する目的のエアーフィルター１１の下流側で、かつ熱交換器４の上流側に位置する場所の一部に配置されている。この電気集塵ユニット１６は、荷電電極とアース電極および集塵部とが一体化されており、空気調和機の室内ユニットの吸込み口より吸い込まれた室内空気は、プレフィルター１１で粗塵が除去され、更に電気集塵ユニット１６にて花粉やタバコの煙などの微細な塵埃などの不純物を除去して清浄化し、熱交換器、送風機を介して清浄空気として吹出し口より室内へ放出される。
【特許文献１】特開２００１−７４２６５号公報
【発明の開示】
【発明が解決しようとする課題】
【０００６】
しかしながら、前記従来の構成では、空気調和機の室内ユニットの吸込み口より吸込まれた室内空気に含まれる、花粉やタバコの煙などの微細な塵埃などの不純物を除去して清浄化し、熱交換器、送風機を介して清浄空気として吹出し口より室内へ放出することによりある程度は室内空気を清浄化することは可能であるが、室内の気流は空気調和機により十分に循環されているわけではないので、部分的に塵埃が滞留する場所が発生する、あるいは重量が大きく空気調和機の室内ユニットの吸込み口の高さまで浮遊しない塵埃などの不純物に対してはその影響を排除することはできないという課題を有していた。
【０００７】
本発明は、前記従来の課題を解決するもので、空気中の浮遊物質で特に人体に悪影響のあるアレルゲン、ウイルス、浮遊カビ、浮遊細菌などの室内空気中に浮遊する空気中の不純物の活動抑制、不活化することを可能とした空気調和機を提供することを目的とする。
【課題を解決するための手段】
【０００８】
前記従来の課題を解決するために、本発明の空気調和機は、室内空気を吸込み口から吸込み、その吸込み空気を熱交換器に通して吹出し口から室内に吹出す空気調和機において、吹出し口から吹出し方向１ｍの距離で１，０００，０００個／ｃｃ以上のマイナスイオンが検出されるマイナスイオン発生器を搭載したものである。
【０００９】
これによって、酸素が負イオン化したスーパーオキシドアニオンは室内空気中に放出され、スーパーオキシドアニオンが生体細胞内においてさまざまな生理障害を引き起こし細胞を失活させることにより、アレルゲン、ウイルス、浮遊カビ、浮遊細菌などの室内空気中に浮遊する空気中の不純物の活動抑制、不活化することを可能とした空気調和機を提供することができる。
【００１０】
また、本発明の空気調和機は、マイナスイオン発生器を吹出し口に搭載したものである。
【００１１】
これによって、酸素が負イオン化したスーパーオキシドアニオンが室内空気中に放出され、アレルゲン、ウイルス、浮遊カビ、浮遊細菌などの室内空気中に浮遊する空気中の不純物のより効果的な活動抑制、不活化を実現することを可能とした空気調和機を提供することができる。
【発明の効果】
【００１２】
本発明の空気調和機は、酸素が負イオン化したスーパーオキシドアニオンを室内空気中に放出することにより、スーパーオキシドアニオンが生体細胞内においてさまざまな生理障害を引き起こし細胞を失活させ、アレルゲン、ウイルス、浮遊カビ、浮遊細菌などの室内空気中に浮遊する空気中の不純物の活動抑制、不活化をすることができる。
【発明を実施するための最良の形態】
【００１３】
第１の発明は、室内空気を吸込み口から吸込み、その吸込み空気を熱交換器に通して吹出し口から室内に吹出す空気調和機において、吹出し口から吹出し方向１ｍの距離で１，０００，０００個／ｃｃ以上のマイナスイオンが検出されるマイナスイオン発生器を搭載することにより、酸素が負イオン化したスーパーオキシドアニオンが室内空気中に放出され、スーパーオキシドアニオンが生体細胞内においてさまざまな生理障害を引き起こし細胞を失活させることにより、アレルゲン、ウイルス、浮遊カビ、浮遊細菌などの室内空気中に浮遊する空気中の不純物の活動抑制、不活化することが可能な空気調和機を提供することができる。
【００１４】
第２の発明は、特に、第１の発明の空気調和機において、マイナスイオン発生器を吹出し口に搭載することにより、酸素が負イオン化したスーパーオキシドアニオンはより効率的に室内空気中に放出され、アレルゲン、ウイルス、浮遊カビ、浮遊細菌などの室内空気中に浮遊する空気中の不純物のより効果的な活動抑制、不活化を実現することを可能とした空気調和機を提供することができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における空気調和機の概略横断面図を示すものである。
【００１７】
図１において、１は空気調和機室内ユニット、２は吸込み口、３は吸入パネル、４は熱交換器、５は送風ファン、６は吹出し口、７は通風経路、１０はマイナスイオン発生器Ａである。
【００１８】
図２は、本発明の第１の実施の形態におけるマイナスイオン発生器Ａ１０の概略図である。
【００１９】
図２において、１２は放電電極、１３はアース電極、１４は外枠、１５は放電域の一部を示すものである。
【００２０】
以上のように構成された空気調和機について、以下、その動作、作用を説明する。
【００２１】
まず、室内空気を吸込み口２から吸込み、その吸込み空気をマイナスイオン発生器Ａ１０および熱交換器４に通して吹出し口６から室内に吹出す空気調和機において、吹出し口から吹出し方向１ｍの位置８で１，０００，０００個／ｃｃ以上のマイナスイオンが検出されるレベルとすることで、酸素が負イオン化したスーパーオキシドアニオンは室内空気中に放出され、スーパーオキシドアニオンが生体細胞内においてさまざまな生理障害を引き起こし細胞を失活させることにより、アレルゲン、ウイルス、浮遊カビ、浮遊細菌などの室内空気中に浮遊する空気中の不純物の活動抑制、不活化することを可能とした空気調和機を提供することができる。酸素が負イオン化したスーパーオキシドアニオンの効果については、例えば、「防菌防黴」誌ＶＯＬ．２５，Ｎｏ．１１、６２５〜６３１ページ、１９９７年、「負イオンを利用した微生物増殖防止」参照）実際の効果としては、吹出し口から吹出し方向１ｍの位置８でアンデス電気株式会社製の空気イオンカウンター（機種名ＩＴＣ−２０１Ａ）で測定して１，０００，０００個／ｃｃ以上のマイナスイオンが検出されれば問題はなく、マイナスイオン発生器Ａ１０の方式、形態は問わない。
【００２２】
以上のように、本実施の形態においては、吹出し口から吹出し方向１ｍの距離で１，０００，０００個／ｃｃ以上のマイナスイオンが検出されるマイナスイオン発生器Ａ１０を搭載することにより、酸素が負イオン化したスーパーオキシドアニオンは室内空気中に大量に放出され、スーパーオキシドアニオンが生体細胞内においてさまざまな生理障害を引き起こし細胞を失活させることにより、アレルゲン、ウイルス、浮遊カビ、浮遊細菌などの室内空気中に浮遊する空気中の不純物の活動抑制、不活化することを可能とした空気調和機を提供することができる。図３は、吹出し口から吹出し方向１ｍの距離でのマイナスイオン量とアレルゲン、ウイルス、浮遊カビ、浮遊細菌の活動抑制効果を示したものであり、従来、一般的であった、吹出し口から吹出し方向１ｍの距離で３００，０００個／ｃｃ以下では、アレルゲン、ウイルス、浮遊カビ、浮遊細菌の活動抑制効果は見られないが、吹出し口から吹出し方向１ｍの距離で１，０００，０００個／ｃｃ以上ではアレルゲン、ウイルス、浮遊カビ、浮遊細菌の活動抑制効果を確認した。なお、試験は６畳相当の試験室で空気調和機を実際に運転して実施し、アレルゲンとしてはコナヒョウダニおよびスギ花粉、ウイルスとしてはインフルエンザウイルス、浮遊かびおよび浮遊細菌としては室内空気および座布団などに含まれたものを供試サンプルとして用いた。
（実施の形態２）
図４は、本発明の第２の実施の形態における空気調和機の概略横断面図を示すものである。
【００２３】
図４において、１は空気調和機室内ユニット、２は吸込み口、３は吸入パネル、４は熱交換器、５は送風ファン、６は吹出し口、７は通風経路、２０はマイナスイオン発生器Ｂ、である。
【００２４】
以上のように、本実施の形態では、マイナスイオン発生器Ｂ２０を空気調和機の吹出し口６に設置することにより発生したマイナスイオンをより効果的に室内空気に分散させることが可能となり、より高いアレルゲン、ウイルス、浮遊カビ、浮遊細菌の活動抑制効果が期待できる。また、実際の効果としては、吹出し口から吹出し方向１ｍの位置８でアンデス電気株式会社製の空気イオンカウンター（機種名ＩＴＣ−２０１Ａ）で測定して１，０００，０００個／ｃｃ以上のマイナスイオンが検出されれば問題はなく、マイナスイオン発生器Ｂ２０の方式、形態は問わない。
【産業上の利用可能性】
【００２５】
以上のように、本発明にかかる空気調和機は、酸素が負イオン化したスーパーオキシドアニオンを室内空気中に放出することにより、スーパーオキシドアニオンが生体細胞内においてさまざまな生理障害を引き起こし細胞を失活させ、アレルゲン、ウイルス、浮遊カビ、浮遊細菌などの室内空気中に浮遊する空気中の不純物の活動抑制、不活化することができるので、室内空気の浄化が可能な空気清浄器等の用途にも適用できる。
【図面の簡単な説明】
【００２６】
【図１】本発明の第１の実施形態を示すマイナスイオン発生器Ａを搭載した空気調和機室内ユニットの概略横断面図
【図２】本発明の第１の実施形態を示すマイナスイオン発生器Ａの概略を示す模式図
【図３】本発明の第１の実施形態における空気調和機の特性を示す特性図
【図４】本発明の第２の実施形態を示すマイナスイオン発生器Ｂを搭載した空気調和機室内ユニットの概略横断面図
【図５】従来の実施形態を示すマイナスイオン発生器を搭載した空気調和機室内ユニットの概略断面図
【符号の説明】
【００２７】
１  空気調和機室内ユニット
２  吸込み口
３  吸入パネル
４  熱交換器
５  送風ファン
６  吹出し口
７  通風回路
８  吹出し口から吹出し方向１ｍの位置
１０  マイナスイオン発生器Ａ
１２  放電電極
１３  アース電極
１４  外枠
１５  電界
２０  マイナスイオン発生器Ｂ
【図１】
2007107809.tif 000003
【図２】
2007107809.tif 000004
【図３】
2007107809.tif 000005
【図４】
2007107809.tif 000006
【図５】
2007107809.tif 000007